(57)【要約】【課題】鉄筋工事での鉄筋配筋後の鉄筋結束作業において、鉄筋工事用結束線による鉄筋の交叉部の結束箇所を従来よりも少なくし、鉄筋結束作業の効率化と時間の短縮化が実現できる鉄筋結束補助具を開発すること。【解決手段】本発明の鉄筋結束補助具１は、鉄筋結束補助具本体２に外れ止め用の引掛け部３と、鉄筋の交叉部の結束を補助する結束補助部４を所定の間隔で複数個設け、かつ、引掛け部３の引掛け位置３ａと結束補助部４による鉄筋の交叉部に即しての設定位置４ａとを同じ高さ位置になるように構成している。鉄筋結束補助具１はその引掛け部３を任意の鉄筋に引掛けた状態で鉄筋の交叉部に沿って使用し、鉄筋結束補助具１に沿った鉄筋の交叉部のうち少なくとも１か所を鉄筋工事用結束線で結束することによって、鉄筋結束作業の結束箇所を少なくすることができる。【選択図】図１
2016011573.tif 000002
【特許請求の範囲】
【請求項１】
鉄筋工事での鉄筋配筋後、鉄筋の交叉部に沿って使用する鉄筋結束補助具であって、鉄筋結束補助具本体にはその一端に外れ止め用の引掛け部を設けるとともに、鉄筋の交叉部の結束を補助する結束補助部を所定の間隔で複数個設け、かつ、引掛け部の引掛け位置と、結束補助部による鉄筋の交叉部に即しての設定位置とを同じ高さ位置になるように構成したことを特徴とする鉄筋結束補助具。
【請求項２】
鉄筋結束補助具本体は、プレス加工により、引掛け部と結束補助部とを一体的に製造していることを特徴とする請求項１に記載の鉄筋結束補助具。
【請求項３】
結束補助部は、鉄筋結束補助具本体に取り付け固定されていることを特徴とする請求項１に記載の鉄筋結束補助具。
【請求項４】
鉄筋工事での鉄筋配筋後、請求項１に記載の鉄筋結束補助具を鉄筋の交叉部に沿って使用し、鉄筋結束補助具に沿った鉄筋の交叉部の少なくとも１か所を鉄筋工事用結束線で結束することを特徴とする鉄筋結束方法。
【発明の詳細な説明】
【技術分野】
【０００１】本発明は鉄筋工事において配筋された鉄筋の交叉部を鉄筋工事用結束線で結束する結束作業の効率化と時間の短縮化を実現させることが出来る鉄筋結束補助具に関する。
【背景技術】
【０００２】現在、コンクリート打設前の鉄筋工事では、まず、鉄筋や型枠上に鉄筋の配筋間隔を示すために、例えば、１００ミリや１５０ミリや２００ミリの表示線を記入し、その表示線上に鉄筋を縦横に配筋する配筋作業をし、その後、その配筋された鉄筋の交叉部を鉄筋工事用結束線により結束する結束作業をしている。本発明では鉄筋工事用結束線については図１０に図示されている鉄筋工事用結束線１０１を用いて説明する。【０００３】現在おこなわれている鉄筋工事を図１１、図１２、図１３をもちいて説明する。図１１はスラブや壁に係る鉄筋工事、図１２は柱に係る鉄筋工事、図１３は梁に係る鉄筋工事を図示している。【０００４】図１１はスラブや壁の鉄筋工事であって、まず、スラブや壁の鉄筋、又は、型枠上に鉄筋の配筋間隔Ｓ２やＲ２の表示線を記入し、その表示線上に縦筋１０２と横筋１０３を配筋する配筋作業をし、その後、図１１に図示しているようにその配筋された縦筋１０２と横筋１０３の交叉部の外周部の全てを鉄筋工事用結束線で結束し、内部の縦筋１０２と横筋１０３の交叉部においては一つとばしで結束する結束作業をしている。【０００５】図１２は柱の鉄筋工事であって柱主筋１０５に配筋間隔Ｒ３の表示線を記入し、その表示線上に帯筋１０４を水平に配筋する配筋作業をし、その後、その配筋された柱主筋１０５と帯筋１０４の四隅の交叉部を鉄筋工事用結束線で全て結束する結束作業をしている。【０００６】図１３は梁の鉄筋工事であって梁主筋１０７に配筋間隔Ｓ３の表示線を記入し、その表示線上にあばら筋１０６を垂直に配筋する配筋作業をし、その後、その配筋された梁主筋１０７とあばら筋１０６の四隅の交叉部を鉄筋工事用結束線で全て結束する結束作業をしている。【０００７】このように、現在の鉄筋工事において鉄筋や型枠上に鉄筋の配筋間隔の表示線を数多く記入した後、配筋作業をし、また、その後は鉄筋の交叉部のほとんどを鉄筋工事用結束線により数多く結束している。ところが現在、全国的に鉄筋工の不足や熟練工の高齢化による中で鉄筋工事が行われているため、鉄筋工事に時間がかかる結果となっている。特に、鉄筋工事の中での結束作業は鉄筋の交叉部を結束する箇所が多い事に加えて、鉄筋組立後に行われる設計事務所やゼネコンによる鉄筋組立配筋検査において、鉄筋の交叉部を結束した鉄筋工事用結束線が交叉部から跳ね出して型枠に接触する事によるコンクリート打設後の接触した部分からの発錆を予防するために、鉄筋工事用結束線が交叉部から跳ね出した全てを鉄筋の交叉部の内側に折り込む是正指示や、鉄筋の交叉部の結束の不具合による結束の手直し等があるため、鉄筋工事に時間がかかり建設現場では工事の遅れの原因の一つとなっている。このため特に、結束作業の効率化や時間の短縮化がもとめられている。【０００８】このような要望に対して、鉄筋工事の配筋作業では、配筋精度を向上させるための鉄筋間隔補助具が開発されている。例えば、特許文献１や特許文献２に記載されている鉄筋間隔補助具がある。これらの鉄筋間隔補助具は表示線の記入を省略し配筋の効率化と時間の短縮化をはかるための構成である。しかし、この鉄筋間隔補助具は配筋作業においてのみ使用できる補助具である。【０００９】鉄筋結束作業においては、結束治具を用いて鉄筋の交叉部を鉄筋工事用結束線で結束する手作業を機械化した自動結束機が開発されている。しかし、自動結束機を用いても図１１，図１２，図１３で説明したように鉄筋の交叉部の結束箇所を少なくすることによる結束作業の効率化や時間の短縮化をすることはできない。
【先行技術文献】
【特許文献】
【００１０】
【特許文献１】特開平９−１３３９９号公報
【特許文献２】特開平１０−１８５１２号公報
【発明の概要】
【発明が解決しようとする課題】
【００１１】本発明は鉄筋の結束作業において鉄筋の交叉部を鉄筋工事用結束線で結束する箇所を極力少なくすることによって結束作業の効率化や時間の短縮化がはかれる鉄筋結束補助具を提供することにある。
【課題を解決するための手段】
【００１２】このような課題を解決するために、本発明の鉄筋結束補助具は鉄筋工事での鉄筋配筋後、鉄筋の交叉部に沿って使用する鉄筋結束補助具であって、鉄筋結束補助具本体にはその一端に外れ止め用の引掛け部を設けるとともに、鉄筋の交叉部の結束を補助する結束補助部を所定の間隔で複数個設け、かつ、引掛け部の引掛け位置と、結束補助部による鉄筋の交叉部に即しての設定位置とを同じ高さ位置になるように構成したことを特徴とする。【００１３】また、本発明の鉄筋結束補助具は、プレス加工により、引掛け部と結束補助部を一体的に製造していることを特徴とする。【００１４】また、本発明の鉄筋結束補助具は、結束補助部が鉄筋結束補助具本体に取り付け固定されて製造していることを特徴とする。【００１５】また、本発明の鉄筋結束補助具は、鉄筋工事での鉄筋配筋後、鉄筋結束補助具を鉄筋の交叉部に沿って使用し、鉄筋結束補助具に沿った鉄筋の交叉部の少なくとも１か所を鉄筋工事用結束線で結束することを特徴とする。【００１６】このような本発明の鉄筋結束補助具は、コンクリートを打設する前の鉄筋工事において、配筋作業後で鉄筋の交叉部を鉄筋工事用結束線で結束する前に、鉄筋結束補助具の引掛け部を任意の鉄筋に引掛け、所定の間隔で複数個設けた各結束補助部を所定の間隔で配筋されている鉄筋の各交叉部に沿って係合させるように使用し、その後、鉄筋の交叉部に沿った鉄筋結束補助具と鉄筋の交叉部の少なくとも１か所を鉄筋工事用結束線で結束する。このように結束作業で鉄筋結束補助具を使用し、少なくともその１か所を鉄筋工事用結束線で結束することによって実質的に鉄筋結束補助具を係合している箇所をすべて鉄筋工事用結束線で結束していることと同様になるので、鉄筋の交叉部の実際に結束する結束箇所を少なくさせることができるのである。このような作業を実現するために本発明の鉄筋結束補助具は、引掛け部の引掛け位置と、結束補助部による鉄筋の交叉部に即しての設定位置とを同じ高さ位置になるように構成している。【００１７】なお、本発明の鉄筋結束補助具は鉄筋工事において、スラブや壁の結束作業においても、柱の結束作業においても、梁の結束作業においても、使用することができる。
【発明の効果】
【００１８】本発明の鉄筋結束補助具は、鉄筋の結束作業において、鉄筋の交叉部を鉄筋工事用結束線で結束する箇所を少なくすることができるので結束作業の効率化や時間の短縮化ができる。【００１９】また、本発明の鉄筋結束補助具は、プレス加工により製造すれば、引掛け部と結束補助部を一体的に製造しているので鉄筋結束補助具の製造スピードが速くなり、製造コストも安くなる。また、本発明の鉄筋結束補助具は、結束補助部を取り付け固定するように製造すれば鉄筋の交叉部の形状に応じた形に結束補助部を製造できる。
【図面の簡単な説明】
【００２０】
【図１】本発明の鉄筋結束補助具の実施例１を示す図
【図２】本発明の実施例１をスラブや壁に使用した図
【図３】本発明の実施例１を柱に使用した図
【図４】図３の一部拡大図
【図５】本発明の実施例１を梁に使用した図
【図６】図５の一部拡大図
【図７】本発明の別実施例を表した図
【図８】本発明の別実施例を表した図
【図９】本発明の別実施例を表した図
【図１０】鉄筋工事用結束線を示す図
【図１１】従来のスラブや壁の鉄筋工事を示す図
【図１２】従来の柱の鉄筋工事を示す図
【図１３】従来の梁の鉄筋工事を示す図
【発明を実施するための形態】
【実施例１】
【００２１】以下、本発明の実施例１を図面を用いて説明する。図１には本発明の鉄筋結束補助具１の形状を図示している。鉄筋結束補助具１は、丸鋼をプレス加工により一体的に製造したものであって、鉄筋結束補助具本体２の一端に外れ止め用の引掛け部３を設け、鉄筋の交叉部での結束を補助する結束補助部４を所定の間隔Ｌ１で４個設けている。また、引掛け部３の引掛け位置３ａと、結束補助部４による鉄筋の交叉部に即しての設定位置４ａとを同じ高さ位置になるように構成している。鉄筋結束補助具１をプレス加工により鉄筋結束補助具本体２と引掛け部３と結束補助部４とを一体的に製造することにより、製造スピートを早めることが出来、また、製造コストも抑えることができる。【００２２】このような鉄筋結束補助具１は、配筋作業後で、鉄筋の交叉部を鉄筋工事用結束線１０１で結束する前に、鉄筋結束補助具１の引掛け部３を任意の鉄筋に引掛け、所定の間隔Ｌ１で４個形成している結束補助部４を所定の間隔で配筋された鉄筋の各交叉部に沿って使用する。なお実施例１では結束補助部を４個で説明しているが４個に限定されるものではない。例えば、所定の間隔が１００ミリなら７個程度、１５０ミリなら６個程度、２００ミリなら４個程度が好ましく思われる。【００２３】次に、図１に示した鉄筋結束補助具１を用いてコンクリート打設前のスラブ（あるいは壁、以下スラブとして説明する）での鉄筋工事を図２を用いて説明する。【００２４】スラブ配筋作業では、まず、最初に鉄筋１５を所定の配筋間隔Ｌ５で連続して配筋した後、その鉄筋１５の上に鉄筋１６を直交した方向に所定の配筋間隔Ｌ６で連続して配筋して配筋作業が行われている。【００２５】そして、最初に１本目を所定の間隔Ｌ５の鉄筋結束補助具１を選択する。結束補助部４の間隔はＬ１＝Ｌ５である。図２の拡大図面Ａに図示している鉄筋１５に引掛け部３を引掛け、図２に図示しているように４個の結束補助部４に各鉄筋１５を係合する。２本目も所定の間隔Ｌ５の鉄筋結束補助具１を選択する。図２の拡大図面Ｂに図示している鉄筋１５に引掛け部３を引掛け、図２に図示しているように４個の結束補助部４に各鉄筋１５を係合する。このように図２に図示しているように、鉄筋結束補助具１を設置する作業を繰り返す。その後、図２の拡大図面Ａに図示している鉄筋１５と引掛け部３の係合部と、図２の拡大図面Ｂに図示している鉄筋１５と１本目の鉄筋結束補助具１の最後の結束補助部４と２本目の鉄筋結束補助具１の引掛け部３を鉄筋工事用結束線１０１で結束する作業を繰り返すことによって、鉄筋の各交叉部を結束している状態と同様な状態にできる。なお、図２では１つの鉄筋結束補助具において、引掛け部３と最後の結束補助部４との２箇所を鉄筋工事用結束線１０１で結束した形になっているが鉄筋結束補助具１の引掛け部３、または、結束補助部４の少なくとも１箇所を結束してもかまわない。【００２６】次に、１本目を所定の間隔Ｌ６の鉄筋結束補助具１を選択する。結束補助部４の間隔はＬ１＝Ｌ６である。図２の拡大図面Ｃに図示している鉄筋１６に引掛け部３を引掛け、図２に図示しているように４個の結束補助部４に各鉄筋１６を係合する。２本目も所定の間隔Ｌ６の鉄筋結束補助具１を選択する。１本目の鉄筋結束補助具１の最後の結束補助部４と係合する鉄筋１６に引掛け部３を引掛け、図２に図示しているように４個の結束補助部４に各鉄筋１６を係合する。このように図２に図示しているように、鉄筋結束補助具１を設置する作業を繰り返す。その後、図２の拡大図面Ｃに図示している鉄筋１５と鉄筋１６の交叉部と引掛け部３の係合部と、１本目の鉄筋結束補助具１の最後の結束補助部４と鉄筋１５と鉄筋１６の交叉部と２本目の引掛け部３を鉄筋工事用結束線１０１で結束する作業を繰り返すことによって、鉄筋の各交叉部を結束している状態と同様な状態にできる。【００２７】その後、１本目を所定の間隔Ｌ７の鉄筋結束補助具１を選択する。結束補助部４の間隔はＬ１＝Ｌ７である。図２の拡大図面Ａや拡大図面Ｂに図示している鉄筋１５と鉄筋１６の交叉点に引掛け部３を引掛け、鉄筋１５と鉄筋１６の交叉線上に配置し、図２に図示しているように４個の結束補助部４と鉄筋１５と鉄筋１６の各交叉点を係合する。２本目も所定の間隔Ｌ７の鉄筋結束補助具１を選択する。１本目の鉄筋結束補助具１の最後の結束補助部４と係合する鉄筋１５と鉄筋１６の交叉点に引掛け部３を引掛け、図２に図示しているように４個の結束補助部４に各交叉点を係合する。このように図２に図示しているように、鉄筋結束補助具１を設置する作業を繰り返す。その後、図２の拡大図面Ａや拡大図面Ｂに図示している鉄筋１５と鉄筋１６の交叉点と鉄筋結束補助具１の引掛け部３や結束補助部４の係合部と、１本目の鉄筋結束補助具１の最後の結束補助部４と鉄筋１５と鉄筋１６の交叉点と引掛け部３を鉄筋工事用結束線１０１で結束する作業を繰り返すことによって、鉄筋の各交叉点を結束している状態と同様な状態にできる。【００２８】このように、鉄筋結束補助具１を鉄筋の各交叉部に沿って配置し、また、交叉線上に沿って配置しそれぞれの引掛け部３または、結束補助部４の少なくとも１か所を鉄筋工事用結束線１０１で結束することによって結束作業が終わる。その結果図１１と比べて鉄筋工事用結束線１０１による結束箇所が少なくなることになり結束作業の効率化や時間の短縮化ができる。なお、図２において鉄筋の本数によって結束補助部４と係合しない鉄筋ができる場合があるが、その鉄筋の交叉部は鉄筋工事用結束線１０１で結束する。【００２９】次に、図１に示した鉄筋結束補助具１を用いてコンクリート打設前の柱の鉄筋工事を図３、図４を用いて説明する。【００３０】柱の配筋作業では、まず、最初に柱主筋２１を垂直に配筋した後、その柱主筋２１に帯筋２２を配筋間隔Ｌ８で水平に連続して配筋作業が行われている。【００３１】そして、最初に１本目を所定の間隔Ｌ８の鉄筋結束補助具１を選択する。結束補助部４の間隔はＬ１＝Ｌ８である。図３に図示されている柱主筋の最上部に配筋された帯筋２２に引掛け部３を引掛け、柱主筋２１と帯筋２２と引掛け部３を鉄筋工事用結束線１０１で結束し、図３に図示されているように４個の結束補助部４で帯筋２２を係合する。２本目も所定の間隔Ｌ８の鉄筋結束補助具１を選択する。１本目の鉄筋結束補助具１の最後の結束補助部４と係合する帯筋２２に引掛け部３を引掛け、１本目の鉄筋結束補助具１の最後の結束補助部４と係合する帯筋２２と柱主筋２１の交叉部と引掛け部３を鉄筋工事用結束線１０１で結束し、図３に図示しているように４個の結束補助部４に帯筋２２を係合する。このように図３に図示しているように、鉄筋結束補助具１を設置する作業を繰り返し、図４に図示されているように鉄筋結束補助具１の引掛け部３と最後の結束補助部４と柱主筋２１と帯筋２２の交叉部を鉄筋工事用結束線１０１で結束することによって鉄筋の各交叉部を結束している状態と同様な状態にできる。【００３２】次に、図１に示した鉄筋結束補助具１を用いてコンクリート打設前の梁の鉄筋工事を図５、図６を用いて説明する。【００３３】梁の配筋作業では、まず、最初に梁主筋２９を水平に配筋した後、その梁主筋２９にあばら筋３０を配筋間隔Ｌ９で垂直に連続して配筋作業が行われている。【００３４】そして、最初に所定の間隔Ｌ９の鉄筋結束補助具１を選択する。結束補助部４の間隔はＬ１＝Ｌ９である。図５に図示されている左端のあばら筋３０に引掛け部３を引掛図５に図示されているように４個の結束補助部４であばら筋３０を係合する。その後、図６に図示しているように鉄筋結束補助具１の引掛け部３と最後の結束補助部４と梁主筋２９とあばら筋３０の交叉部を鉄筋工事用結束線１０１で結束することによって鉄筋の各交叉部をすべて結束している状態と同様な状態にできる。
（別実施例）【００３５】以上、本発明の鉄筋結束補助具１を使用して配筋したスラブ、壁、柱、梁の実施例である。以下、鉄筋結束補助具１以外の本発明の実施例を図面を用いて説明する。【００３６】図７に図示されているように鉄筋結束補助具５は、丸鋼をプレス加工により一体的に製造したものであって、鉄筋結束補助具本体６の一端に外れ止め用の引掛け部７を設け、鉄筋の交叉部の結束を補助する結束補助部８を所定の間隔Ｌ２で４個設けている。また、引掛け部７の引掛け位置７ａと、結束補助部８による鉄筋の交叉部に即しての設定位置８ａとを同じ高さ位置になるようにし、鉄筋結束補助具本体６と結束補助部８の固定部の曲げ角度を鋭角にし、結束補助部８全体を円形にさせることで構成されている。このように構成する事によって結束補助部８による鉄筋の交叉部の固定が外れにくい形状にしていることを特徴とする。【００３７】図８（ａ）に図示されているように鉄筋結束補助具９は、丸鋼の一端に外れ止め用の引掛け部１１を設けた鉄筋結束補助具本体１０に、鉄筋の交叉部を固定するための結束補助部１２を所定の間隔Ｌ３で４個溶接で固定し、引掛け部１１の引掛け位置１１ａと、結束補助部１２による鉄筋の交叉部に即しての設定位置１２ａとを同じ高さ位置になるように固定できるため結束補助部１２の形を、鉄筋の交叉部の形状に合わせた形に構成できることを特徴とする。図８（ｂ）は鉄筋結束補助具９と結束補助部１２の固定部を側面からみた拡大図。図８（ｃ）は鉄筋結束補助具９と結束補助部１２の固定部を上面からみた拡大図である。【００３８】図９（ａ）に図示されているように鉄筋結束補助具１３は、丸鋼の一端に外れ止め用の引掛け部１５を設けた鉄筋結束補助具本体１４に、鉄筋の交叉部を固定するための結束補助部１６を所定の間隔Ｌ４で４個溶接で固定し、引掛け部１５の引掛け位置１５ａと、結束補助部１６による鉄筋の交叉部に即しての設定位置１６ａとを同じ高さ位置になるように固定した形に構成される。また、鉄筋の交叉部を固定する結束補助部１６全体を円形にし、その先端を外側に少し折り曲げ鉄筋の交叉部が外れにくい形状にしたことを特徴とする。図９（ｂ）は鉄筋結束補助具１２と結束補助部１４の固定部を側面からみた拡大図。図９（ｃ）は鉄筋結束補助具１２と結束補助部１４の固定部を上面からみた拡大図である。【００３９】また、本発明の実施例を図１、図７、図８、図９をもちいて鉄製の鉄筋結束補助具を説明したが、材質においては鉄製以外にプラスチック製及び樹脂製の構成も可能である。【００４０】なお、本発明の鉄筋結束補助具は結束作業にのみ使用した場合を説明したが、配筋作業においても使用する事ができる。例えば、図５をもちいて梁配筋作業を説明するとまず、所定の間隔Ｌ９の鉄筋結束補助具１を選択する。結束補助部４の間隔はＬ１＝Ｌ９である。梁主筋２９に５本のあばら筋３０を仮配筋した後、梁主筋２９の左端に仮配筋されている１本のあばら筋３０を正式な位置に配置した後、そのあばら筋３０に鉄筋結束補助具１の引掛け部３を引掛け、仮配筋したあばら筋３０と梁主筋２９の交叉部と引掛け部３を鉄筋工事用結束線１０１で結束し、図５に図示されている４個の結束補助部４に仮配筋したあばら筋３０を配置する事により、梁主筋２９に配筋間隔Ｌ９の表示線を記入する事なく配筋間隔Ｌ９を正確に維持する配筋作業ができる。
【符号の説明】１・５・９・１３                鉄筋結束補助具
２・６・１０・１４              鉄筋結束補助具本体
３・７・１１・１５              引掛け部
３ａ・７ａ・１１ａ・１５ａ      引っ掛け部の引掛け位置
４・８・１２・１６              結束補助部
４ａ・８ａ・１２ａ・１６ａ      結束補助部による鉄筋の交叉部に即しての設定位置
Ｌ１・Ｌ２・Ｌ３・Ｌ４          引掛け部と結束補助部の間隔または、結束補助部と結                                束補助部の間隔
Ｌ５・Ｌ６・Ｌ７・Ｌ８・Ｌ９    鉄筋の交叉部と交叉部の間隔
【図１】
2016011573.tif 000003
【図２】
2016011573.tif 000004
【図３】
2016011573.tif 000005
【図４】
2016011573.tif 000006
【図５】
2016011573.tif 000007
【図６】
2016011573.tif 000008
【図７】
2016011573.tif 000009
【図８】
2016011573.tif 000010
【図９】
2016011573.tif 000011
【図１０】
2016011573.tif 000012
【図１１】
2016011573.tif 000013
【図１２】
2016011573.tif 000014
【図１３】
2016011573.tif 000015